(57)【特許請求の範囲】
【請求項１】
ワイヤレス通信のための方法であって、
ユーザ機器（ＵＥ）の複数のアンテナに対して複数の送信電力制御（ＴＰＣ）コマンドを受信することと、
前記複数のＴＰＣコマンドに基づいて、前記ＵＥの前記複数のアンテナのそれぞれに対して送信電力を調整することと
を備え、前記複数のＴＰＣコマンドを前記受信することは、時分割多重を使用して複数の時間周期で送信された前記複数のＴＰＣコマンドを受信することを備える、
方法。
【請求項２】
前記複数のＴＰＣコマンドを受信することは、ＵＥにおいて複数のアンテナグループに対して複数のＴＰＣコマンド、すなわち各アンテナグループに対して１つのＴＰＣコマンド、を受信することを備え、前記複数のアンテナは、複数のグループに配置され、各グループは、少なくとも１つのアンテナを含む、
請求項１に記載の方法。
【請求項３】
前記送信電力を前記調整することは、前記アンテナグループに対する前記ＴＰＣコマンドに基づいて各アンテナグループに対して前記送信電力を調整することを備え、各アンテナグループのすべてのアンテナは、等しい送信電力を有する、
請求項２に記載の方法。
【請求項４】
前記複数のアンテナグループのそれぞれは、前記複数のアンテナの中の単一のアンテナを含み、前記複数のアンテナは、送信電力を個々に調整される、
請求項２に記載の方法。
【請求項５】
前記複数のグループの中の少なくとも１つのアンテナグループは、複数のアンテナを含む、
請求項２に記載の方法。
【請求項６】
前記複数のＴＰＣコマンドは、差分符号化を使用して生成され、前記複数のアンテナグループにおいて、１つのアンテナグループに対する基本ＴＰＣコマンドと、少なくとも１つの残りのアンテナグループに対する少なくとも１つの差分ＴＰＣコマンドとを備える、
請求項２に記載の方法。
【請求項７】
前記複数のＴＰＣコマンドを前記受信することは、制御メッセージの中の少なくとも１つのＴＰＣ位置で前記複数のＴＰＣコマンドを受信することを備え、各ＴＰＣコマンドは、単一ビットの電力調整を備え、少なくとも２つのＴＰＣコマンドは、各ＴＰＣ位置で受信される、
請求項２に記載の方法。
【請求項８】
前記受信したＴＰＣコマンドが適用されるアンテナグループを決定するために、前記複数のアンテナグループに割り当てられた複数のスクランブリングコードに基づいて、受信した各ＴＰＣコマンドに対してデスクランブリングを行うこと
をさらに備える、
請求項２に記載の方法。
【請求項９】
前記複数のアンテナのそれぞれに対して決定された前記送信電力で前記複数のアンテナからアップリンク送信信号を送ることをさらに備える、
請求項１に記載の方法。
【請求項１０】
ユーザ機器（ＵＥ）の複数のアンテナに対して複数の送信電力制御（ＴＰＣ）コマンドを受信するための手段と、
前記複数のＴＰＣコマンドに基づいて、前記ＵＥの前記複数のアンテナのそれぞれに対して送信電力を調整するための手段と
を備え、前記複数のＴＰＣコマンドを前記受信するための手段は、時分割多重を使用して複数の時間周期で送信された前記複数のＴＰＣコマンドを受信するための手段を備える、ワイヤレス通信のための装置。
【請求項１１】
前記複数のＴＰＣコマンドを受信するための前記手段は、前記ＵＥの複数のアンテナグループに対して複数のＴＰＣコマンド、すなわち各アンテナグループに対して１つのＴＰＣコマンド、を受信するための手段を備え、前記複数のアンテナは、複数のグループに配置され、各グループは、少なくとも１つのアンテナを含む、
請求項１０に記載の装置。
【請求項１２】
前記複数のＴＰＣコマンドは、差分符号化を使用して生成され、前記複数のアンテナグループにおいて、１つのアンテナグループに対する基本ＴＰＣコマンドと、少なくとも１つの残りのアンテナグループに対する少なくとも１つの差分ＴＰＣコマンドとを備える、
請求項１１に記載の装置。
【請求項１３】
前記複数のＴＰＣコマンドを受信するための前記手段は、制御メッセージの中の少なくとも１つのＴＰＣ位置に前記複数のＴＰＣコマンドを受信するための手段を備え、各ＴＰＣコマンドは、単一ビットの電力調整を備え、少なくとも２つのＴＰＣコマンドは、各ＴＰＣ位置で受信される、
請求項１１に記載の装置。
【請求項１４】
前記受信したＴＰＣコマンドが適用されるアンテナグループを決定するために、前記複数のアンテナグループに割り当てられた複数のスクランブリングコードに基づいて、受信した各ＴＰＣコマンドに対してデスクランブリングを行うための手段をさらに備える、
請求項１１に記載の装置。
【請求項１５】
複数のアンテナと、
ユーザ機器（ＵＥ）の前記複数のアンテナに対して複数の送信電力制御（ＴＰＣ）コマンドを受信するように構成された受信モジュールと、
前記複数のＴＰＣコマンドに基づいて、前記ＵＥの前記複数のアンテナのそれぞれに対して送信電力を調整するように構成された送信モジュールと
を備え、前記受信モジュールは、時分割多重を使用して複数の時間周期で送信された前記複数のＴＰＣコマンドを受信するように構成される、
ワイヤレス通信のための装置。
【請求項１６】
前記受信モジュールは、前記ＵＥの複数のアンテナグループに対して複数のＴＰＣコマンド、すなわち各アンテナグループに対して１つのＴＰＣコマンド、を受信するように構成され、前記複数のアンテナは、複数のグループに配置され、各グループは、少なくとも１つのアンテナを含む、
請求項１５に記載の装置。
【請求項１７】
前記複数のＴＰＣコマンドは、差分符号化を使用して生成され、前記複数のアンテナグループにおいて、１つのアンテナグループに対する基本ＴＰＣコマンドと、少なくとも１つの残りのアンテナグループに対する少なくとも１つの差分ＴＰＣコマンドとを備える、
請求項１６に記載の装置。
【請求項１８】
前記受信モジュールは、制御メッセージの中の少なくとも１つのＴＰＣ位置で前記複数のＴＰＣコマンドを受信し、各ＴＰＣ位置から、各ＴＰＣコマンドは、単一ビットの電力調整を備える少なくとも２つのＴＰＣコマンドを取得するように構成される、
請求項１６に記載の装置。
【請求項１９】
前記受信モジュールは、前記受信したＴＰＣコマンドが適用されるアンテナグループを決定するために、前記複数のアンテナグループに割り当てられた複数のスクランブリングコードに基づいて、受信した各ＴＰＣコマンドに対してデスクランブリングを行うように構成されたデスクランブラを備える、
請求項１６に記載の装置。
【請求項２０】
少なくとも１つのコンピュータに、ユーザ機器（ＵＥ）の複数のアンテナに対して複数の送信電力制御（ＴＰＣ）コマンドを受信させるためのコードと、
前記少なくとも１つのコンピュータに、前記複数のＴＰＣコマンドに基づいて、前記ＵＥの前記複数のアンテナのそれぞれに対して送信電力を調整させるためのコードと
を備え、前記少なくとも１つのコンピュータに、前記複数のＴＰＣコマンドを前記受信させるためのコードは、前記少なくとも１つのコンピュータに、時分割多重を使用して複数の時間周期で送信された前記複数のＴＰＣコマンドを受信させるためのコードを備える、
コンピュータプログラム。
【請求項２１】
ユーザ機器（ＵＥ）の複数のアンテナに対して複数の送信電力制御（ＴＰＣ）コマンドを生成することと、
前記ＵＥの前記複数のアンテナのそれぞれに対して送信電力を調整するために使用する、前記複数のＴＰＣコマンドを前記ＵＥに送信することと
を備え、前記複数のＴＰＣコマンドを前記送信することは、時分割多重を使用して複数の時間周期の中で前記複数のＴＰＣコマンドを送信することを含む、
ワイヤレス通信のための方法。
【請求項２２】
前記複数のＴＰＣコマンドを生成することは、前記ＵＥの複数のアンテナグループに対して複数のＴＰＣコマンド、すなわち各アンテナグループに対して１つのＴＰＣコマンド、を生成することを備え、前記複数のアンテナは、複数のグループに配置され、各グループは、少なくとも１つのアンテナを備える、
請求項２１に記載の方法。
【請求項２３】
前記複数のアンテナグループのそれぞれは、前記ＵＥの前記複数のアンテナの中に単一のアンテナを含む、
請求項２２に記載の方法。
【請求項２４】
前記複数のＴＰＣコマンドを前記生成することは、
前記複数のアンテナグループのそれぞれに対して受信信号品質を決定することと、
前記アンテナグループの前記受信信号品質に基づいて各アンテナグループに対してＴＰＣコマンドを生成することと
を備える、請求項２２に記載の方法。
【請求項２５】
前記複数のＴＰＣコマンドを前記生成することは、
前記複数のアンテナグループのそれぞれに対して受信電力を決定することと、
前記アンテナグループの前記受信電力に基づいて各アンテナグループに対してＴＰＣコマンドを生成することと
を備える、請求項２２に記載の方法。
【請求項２６】
前記複数のＴＰＣコマンドを前記生成することは、
前記複数のアンテナグループのそれぞれによる干渉を決定することと、
前記アンテナグループによる前記干渉に基づいて各アンテナグループに対してＴＰＣコマンドを生成することと
を備える、請求項２２に記載の方法。
【請求項２７】
前記複数のＴＰＣコマンドを前記生成することは、
前記複数のアンテナグループの中の１つのアンテナグループに対して基本ＴＰＣコマンドを生成することと、
前記複数のアンテナグループの中の少なくとも１つの残りのアンテナグループに対して少なくとも１つの差分ＴＰＣコマンドを生成することと
を備える、請求項２２に記載の方法。
【請求項２８】
前記複数のＴＰＣコマンドを前記生成することは、単一ビットの電力調整を備える各ＴＰＣコマンドを生成することを備え、
前記少なくとも１つのＴＰＣコマンドを前記送信することは、制御メッセージの中の少なくとも１つのＴＰＣ位置で前記複数のＴＰＣコマンドを送信し、少なくとも２つのＴＰＣコマンドが各ＴＰＣ位置で送信されることを備える、
請求項２２に記載の方法。
【請求項２９】
前記複数のＴＰＣコマンドを前記生成することは、
前記複数のアンテナグループに割り当てられた複数のスクランブリングコードを決定することと、
前記ＴＰＣコマンドが適用されるアンテナグループに対してスクランブリングコードに基づいて各ＴＰＣコマンドのスクランブリングを行うことと
を備える、請求項２２に記載の方法。
【請求項３０】
前記複数のアンテナのそれぞれに対して決定された前記送信電力で前記複数のアンテナから前記ＵＥによって送られたアップリンク送信信号を受信することをさらに備える、
請求項２１に記載の方法。
【請求項３１】
ワイヤレス通信のための装置であって、
ユーザ機器（ＵＥ）の複数のアンテナに対して複数の送信電力制御（ＴＰＣ）コマンドを生成するための手段と、
前記ＵＥの前記複数のアンテナのそれぞれに対して送信電力を調整するために使用する、前記複数のＴＰＣコマンドを前記ＵＥに送信するための手段と
を備え、前記複数のＴＰＣコマンドを前記送信するための手段は、時分割多重を使用して複数の時間周期の中で前記複数のＴＰＣコマンドを送信するための手段を備える、
装置。
【請求項３２】
前記複数のＴＰＣコマンドを生成するための手段は、前記ＵＥの複数のアンテナグループに対して複数のＴＰＣコマンド、すなわち各アンテナグループに対して１つのＴＰＣコマンド、を生成するための手段を備え、前記複数のアンテナは、複数のグループに配置され、各グループは、少なくとも１つのアンテナを含む、
請求項３１に記載の装置。
【請求項３３】
前記複数のＴＰＣコマンドを生成するための前記手段は、
前記複数のアンテナグループの中の１つのアンテナグループに対して基本ＴＰＣコマンドを生成するための手段と、
前記複数のアンテナグループの中の少なくとも１つの残りのアンテナグループに対して少なくとも１つの差分ＴＰＣコマンドを生成するための手段と
を備える、請求項３２に記載の装置。
【請求項３４】
前記複数のＴＰＣコマンドを生成するための前記手段は、単一ビットの電力調整を備える各ＴＰＣコマンドを生成するための手段を備え、前記複数のＴＰＣコマンドを送信するための前記手段は、制御メッセージの中の少なくとも１つのＴＰＣ位置で前記複数のＴＰＣコマンドを送信するための手段を備え、少なくとも２つのＴＰＣコマンドが各ＴＰＣ位置で送信される、請求項３２に記載の装置。
【請求項３５】
前記複数のＴＰＣコマンドを生成するための前記手段は、
前記複数のアンテナグループに割り当てられた複数のスクランブリングコードを決定するための手段と、
前記ＴＰＣコマンドが適用されるアンテナグループに対してスクランブリングコードに基づいて各ＴＰＣコマンドのスクランブリングを行うための手段と
を備える、請求項３２に記載の装置。
【発明の詳細な説明】
【関連出願】
【０００１】
本出願は、本譲受人に譲渡され、参照により本明細書に組み込まれている２００９年８月４日に出願された、「ＵＰＬＩＮＫ  ＰＯＷＥＲ  ＣＯＮＴＲＯＬ  ＦＯＲ  ＭＵＬＴＩＰＬＥ  ＴＲＡＮＳＭＩＴ  ＡＮＴＥＮＮＡＳ」という名称の米国仮特許出願第６１／２３１，２９３号に基づく優先権を主張する。
【技術分野】
【０００２】
本開示は、概して通信に関し、より詳細にはワイヤレス通信ネットワークにおいて電力制御を行うための技術に関する。
【背景技術】
【０００３】
ワイヤレス通信ネットワークは、音声、映像、パケットデータ、メッセージング、ブロードキャストなどの様々な通信コンテンツを提供するために、広範囲に配備されている。これらのワイヤレスネットワークは、利用可能なネットワークリソースを共有することによって、多数のユーザをサポートすることができる多元接続ネットワークとすることができる。このような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ）の通信をサポートすることができるいくつかの基地局を含むことができる。ＵＥは、ダウンリンクおよびアップリンクを介して基地局と通信することができる。ダウンリンク（または順方向リンク）は、基地局からＵＥへの通信リンクを指し、アップリンク（または逆方向リンク）は、ＵＥから基地局への通信リンクを指す。
【０００５】
複数のＵＥは、基地局までアップリンクでデータを同時に送信することができる。これは、時間、周波数、および／または符号領域において互いに直交するように送信を多重化することによって達成することができる。完全な直交性が達成できる場合は、基地局において他のＵＥからの送信に干渉しない、各ＵＥからの送信がもたらされる。しかしながら、様々なＵＥからの送信の中の完全な直交性は、チャネル状態、受信機の欠陥などにより、実現されないことが多い。直交性が損なわれると、各ＵＥは同じ基地局と通信している他のＵＥに対してある程度の干渉を引き起こすという結果になる。さらに、異なる基地局と通信しているＵＥからの送信は、一般に互いに直交していない。したがって、やはり各ＵＥは、他の基地局と通信している他のＵＥに対して干渉を引き起こす可能性がある。各ＵＥの性能は、ワイヤレスネットワークにおいて他のＵＥからの干渉により低下する恐れがある。
【発明の概要】
【０００６】
本明細書では、ＵＥの送信電力を制御するための技術について説明する。ＵＥは、データレートを上げる、および／または信頼性を向上させるために、複数のアンテナを使用して送信を行うことができる。ＵＥの複数のアンテナの送信電力を調整するために、電力制御を行うことができる。
【０００７】
１つの設計では、ＵＥは、ＵＥの複数のアンテナに対する少なくとも１つの送信電力制御（ＴＰＣ）コマンドを受信することができる。ＵＥは、この少なくとも１つのＴＰＣコマンドに基づいて、複数のアンテナのそれぞれに対して送信電力を調整することができる。１つの設計では、ＵＥは、すべてのアンテナに対して単一のＴＰＣコマンドを受信することができ、この単一のＴＰＣコマンドに基づいて各アンテナの送信電力を調整することができる。複数のアンテナは、その後等しい送信電力を有することができる。別の設計では、ＵＥは、複数のアンテナグループに対して複数のＴＰＣコマンド、すなわち各アンテナグループに対して１つのＴＰＣコマンド、を受信することができる。各アンテナグループは、複数のアンテナの異なるサブセットを含むことができる。１つの設計では、各アンテナグループが単一のアンテナを含むことができる。別の設計では、アンテナグループが２個以上のアンテナを含むことができる。どちらの設計についてもＵＥは、そのアンテナグループのＴＰＣコマンドに基づいて各アンテナグループの送信電力を調整することができる。各アンテナグループのすべてのアンテナは、等しい送信電力を有することができる。ＵＥは、各アンテナに対して決定された送信電力で複数のアンテナからアップリンク送信信号を送ることができる。
【０００８】
別の設計では、基地局が、ＵＥの複数のアンテナに対して少なくとも１つのＴＰＣコマンドを生成することができる。１つの設計では、基地局は、ＵＥのすべてのアンテナに対して単一のＴＰＣコマンドを生成することができる。別の設計では、基地局は、ＵＥの各アンテナグループに対してＴＰＣコマンドを生成することができる。どの場合でも、基地局は、ＵＥの各アンテナの送信電力を調整するために使用する、少なくとも１つのＴＰＣコマンドをＵＥに送信することができる。基地局はその後、各アンテナに対して決定された送信電力で複数のアンテナからＵＥによって送られたアップリンク送信信号を受信することができる。
【０００９】
本開示の様々な態様および特徴について、以下にさらに詳細に説明する。
【図面の簡単な説明】
【００１０】
【図１】ワイヤレス通信ネットワークを示す図。
【図２】アップリンクでの電力制御のプロセスの設計を示す図。
【図３】複数のアンテナについてのアップリンクでの電力制御の設計を示す図。
【図４】ＵＥによってアップリンクの電力制御を行うためのプロセスを示す図。
【図５】アップリンクの電力制御を行うための装置を示す図。
【図６】基地局によってアップリンクの電力制御を支援するためのプロセスを示す図。
【図７】アップリンクの電力制御を支援するための装置を示す図。
【図８】基地局およびＵＥのブロック図。
【発明を実施するための形態】
【００１１】
本明細書に記載する技術は、ＣＤＭＡ、ＴＤＭＡ、ＦＤＭＡ、ＯＦＤＭＡ、ＳＣ−ＦＤＭＡ、およびその他のネットワークなど、様々なワイヤレス通信ネットワークに使用されることが可能である。「ネットワーク」および「システム」という用語は、同義的に用いられることが多い。ＣＤＭＡネットワークは、ユニバーサル地上無線アクセス（Ｕｎｉｖｅｒｓａｌ  Ｔｅｒｒｅｓｔｒｉａｌ  Ｒａｄｉｏ  Ａｃｃｅｓｓ、ＵＴＲＡ）、ｃｄｍａ２０００などの無線技術を実装することができる。ＵＴＲＡには、広帯域ＣＤＭＡ（ＷＣＤＭＡ）およびＣＤＭＡのその他の変形が含まれる。ｃｄｍａ２０００には、ＩＳ−２０００規格、ＩＳ−９５規格、およびＩＳ−８５６規格が含まれる。ＴＤＭＡネットワークは、モバイル通信用グローバルシステム（ＧＳＭ（登録商標））などの無線技術を実装することができる。ＯＦＤＭＡネットワークは、発展型ＵＴＲＡ（Ｅ−ＵＴＲＡ）、ウルトラモバイルブロードバンド（Ｕｌｔｒａ  Ｍｏｂｉｌｅ  Ｂｒｏａｄｂａｎｄ、ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などの無線技術を実装することができる。ＵＴＲＡおよびＥ−ＵＴＲＡは、ユニバーサルモバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）の一部である。３ＧＰＰ  ロングタームエボリューション（ＬＴＥ）およびＬＴＥ−Ａｄｖａｎｃｅｄ（ＬＴＥ−Ａ）は、ダウンリンク上でＯＦＤＭＡを、アップリンク上でＳＣ−ＦＤＭＡを用いるＥ−ＵＴＲＡを使用する、ＵＭＴＳの新しいリリースである。ＵＴＲＡ、Ｅ−ＵＴＲＡ、ＵＭＴＳ、ＬＴＥ、ＬＴＥ−ＡおよびＧＳＭについては、「第三世代パートナーシッププロジェクト」（３ＧＰＰ）と名付けられた団体からの文書に記載されている。ｃｄｍａ２０００およびＵＭＢについては、「第三世代パートナーシッププロジェクト２」（３ＧＰＰ２）と名付けられた団体からの文書に記載されている。本明細書に記載する技術は、上述のワイヤレスネットワークおよび無線技術、ならびに他のワイヤレスネットワークおよび無線技術に使用することができる。明瞭にするために、この技術のいくつかの点をＬＴＥに関して以下に説明し、以下の説明の大部分ではＬＴＥ技術が使用される。
【００１２】
図１は、ワイヤレス通信ネットワーク１００を示し、これはＬＴＥネットワークまたは他のあるワイヤレスネットワークとすることができる。ワイヤレスネットワーク１００は、いくつかの発展型Ｎｏｄｅ  Ｂ（ｅＮＢ）１１０および他のネットワークエンティティを含むことができる。ｅＮＢは、ＵＥと通信するエンティティとすることができ、基地局、Ｎｏｄｅ  Ｂ、アクセスポイントなどと呼ばれることもある。各ｅＮＢ１１０は、特定の地理エリアに通信カバレッジを提供することができ、カバレッジエリア内に位置するＵＥの通信をサポートすることができる。ネットワーク容量を向上させるために、ｅＮＢのカバレッジエリア全体は、複数（例えば３つ）のより小さいエリアに分割することができる。それぞれのより小さいエリアは、それぞれのｅＮＢサブシステムによってサービスを提供されることが可能である。３ＧＰＰでは、「セル」という用語は、ｅＮＢの最小カバレッジエリア、および／またはこのカバレッジエリアにサービスを提供するｅＮＢサブシステムを指すことができる。
【００１３】
ネットワークコントローラ１３０が、一組のｅＮＢを結合することができ、これらのｅＮＢの調整および制御を行うことができる。ネットワークコントローラ１３０は、単一のネットワークエンティティまたはネットワークエンティティの一群とすることができる。ネットワークコントローラ１３０は、バックホールを介して基地局と通信することができる。ｅＮＢは、例えばＬＴＥではＸ２インターフェースなど、バックホールを介して互いと通信することもできる。
【００１４】
ＵＥ１２０はワイヤレスネットワーク全体にわたって分散されることが可能であり、各ＵＥは固定型またはモバイル型とすることができる。ＵＥは、移動局、端末、アクセス端末、加入者装置、局などと呼ばれることもある。ＵＥが携帯電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブックなどであることが可能である。ＵＥは、ダウンリンクおよび／またはアップリンクでサービングｅＮＢと通信することができる。図１では、アップリンク送信のみを示している。アップリンクでは、各ｅＮＢは、隣接ｅＮＢと通信しているＵＥからの干渉を観測する場合がある。干渉は、性能を低下させる恐れがある。
【００１５】
ワイヤレスネットワーク１００は、アップリンクでのＵＥの電力制御をサポートすることができる。アップリンクでの電力制御（またはアップリンク電力制御）については、ｅＮＢが、ＵＥの送信電力を制御して、他のＵＥのサービングｅＮＢでは他のＵＥへの干渉を低減しながら、優れた性能を得ることができる。
【００１６】
図２は、アップリンクでの電力制御の設計を示す。ＵＥが、サービングｅＮＢへのアップリンク送信信号を送ることができる（ステップ１）。アップリンク送信信号は、データ、または制御情報、または基準信号、またはその組合せを備えることができる。ｅＮＢは、ＵＥからのアップリンク送信信号のメトリックを決定することができる。メトリックは、受信信号の品質、受信電力、干渉などと関連することができる。受信信号の品質は、信号対雑音および干渉比（ＳＩＮＲ）、キャリア対干渉比（Ｃ／Ｉ）などによって数量化することができる。干渉は、熱に対する干渉（ＩｏＴ：ｉｎｔｅｒｆｅｒｅｎｃｅ−ｏｖｅｒ−ｔｈｅｒｍａｌ）などによって数量化することができる。ｅＮＢは、計算されたメトリックを１つまたは複数の閾値と比較することができ、比較の結果に基づいて、送信電力制御（ＴＰＣ）コマンドを生成することができる（ステップ２）。ＴＰＣコマンドは、ＵＥがその送信電力レベルを上げる、下げる、または維持するように指示することができる。ｅＮＢは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）でＵＥにＴＰＣコマンドを送信することができる（ステップ３）。ＵＥは、ＴＰＣコマンドを受信することができ、ＴＰＣコマンドに基づいて適宜その送信電力レベルを調整することができる（ステップ４）。ＵＥは、その後、調整された送信電力レベルでｅＮＢまで、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）または物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）でアップリンク送信信号を送ることができる（ステップ５）。
【００１７】
ＵＥは、いかなる所与の時間にも送信に単一のアンテナを使用することができる。一般に、アンテナは、（ｉ）ＵＥにおいて１つまたは複数の物理アンテナ素子で形成される物理アンテナ、または（ｉｉ）複数の物理アンテナで形成される仮想アンテナであることが可能である。アンテナは、アンテナポートなどと呼ばれることもある。ＵＥが、単一のアクティブアンテナを有する場合、この単一のアンテナの送信電力を調整するためにＴＰＣコマンドが使用される。
【００１８】
一態様では、データレートを上げる、および／または信頼性を向上させるために、送信に複数（Ｔ個）のアンテナを使用するＵＥに対して電力制御が行われることが可能である。ＵＥにおける複数のアンテナに対するアップリンクでの電力制御は、様々な方法で行われることが可能である。
【００１９】
第１のアップリンク電力制御の設計では、これは共通アップリンク電力制御と呼ばれることもあるが、ＵＥにおいてＴ個のすべてのアンテナに対して送信電力を制御するために、単一のＴＰＣコマンドを使用することができる。ＵＥにおいて各アンテナに同量の送信電力が使用されることが可能である。Ｔ個のすべてのアンテナの送信電力は、単一のＴＰＣコマンドに基づいて、同量だけ増減される、または同じ電力レベルで維持されることが可能である。この設計の結果としてＰＤＣＣＨ上のオーバヘッドがより低くなって、複数のアンテナの電力制御をサポートすることができる。またこの設計は、単一のアンテナを使用するＵＥのアップリンク電力制御と互換性があるものとすることができる。詳細には、単一のＴＰＣコマンドが、ＬＴＥで規定されたダウンリンク制御情報（ＤＣＩ）のフォーマット０、１、１Ａ、１Ｂ、１Ｄ、２、２Ａ、または２Ｂを使用してＰＤＣＣＨ上で送信されることが可能である。これらのＤＣＩフォーマットのそれぞれについては、ＵＥに対する制御メッセージがＰＤＣＣＨ上で送信されることが可能であり、単一のＴＰＣコマンドならびにアップリンクでの送信用の他のパラメータを含むことができる。この単一のＴＰＣコマンドは、ＵＥが複数のアンテナを使用するか、単一のアンテナを使用するかにかかわらず適用できるものとすることができる。
【００２０】
第２のアップリンク電力制御設計では、これはアンテナグループごとのアップリンク電力制御（per-antenna group uplink power control）と呼ぶことができるが、ＵＥにおける各アンテナグループの送信電力を制御するために、ＴＰＣコマンドを使用することができる。ＵＥにおけるＴ個のアンテナは、複数（Ｇ個）のグループに配置することができる。一般に、各グループは、１つまたは複数のアンテナを含むことができ、Ｇ個のグループは、同数または異なる数のアンテナを含むことができる。１つの設計では、各グループが単一のアンテナを含むことができ、アンテナグループの数はアンテナの数に等しい、すなわちＧ＝Ｔとすることができる。この設計では、Ｔ個の異なるＴＰＣコマンドが、Ｔ個のアンテナに対して送信されることが可能であり、各アンテナに対して１つのＴＰＣコマンドとなる。別の設計では、あるグループは、２個以上のアンテナを含むことができ、アンテナグループの数は、アンテナの数より少なくなり、すなわちＧ＜Ｔとすることができる。この設計では、Ｇ個の異なるＴＰＣコマンドが、Ｔ個のアンテナに送信されることが可能であり、各アンテナグループに１つのＴＰＣコマンドとなる。
【００２１】
第２のアップリンク電力制御設計については、各アンテナグループに別々に電力制御が行われ得る。各アンテナグループの送信電力は、そのアンテナグループのＴＰＣコマンドに基づいて、増加させる、または減少させる、または維持することができる。Ｇ個のアンテナグループに対して、様々な量の送信電力を使用することができる。各グループのすべてのアンテナには、同じ量の送信電力を使用することができる。ＴＰＣコマンドを使用して、様々なアンテナグループの送信電力を様々な電力レベルに設定することができる。
【００２２】
ＵＥにおけるＧ個のアンテナグループは、様々なチャネル利得を有し、その結果として、ｅＮＢのＧ個のアンテナグループに様々な受信電力がもたらされうる。またＧ個のアンテナグループは、ｅＮＢにおいて様々な受信信号品質を有しうる。特にレイヤシフト（layer shifting）およびキュービックメトリック（cubic metric）を保存したプリコーダを使用して、Ｇ個のアンテナグループに全体にわたって受信信号品質または受信電力に不均衡があるとき、性能が低下する恐れがある。さらに、ＵＥのＧ個のアンテナグループは、他のｅＮＢによって観測される干渉に様々に寄与しうる。
【００２３】
様々なメトリックに基づいてＧ個のアンテナグループに対してＴＰＣコマンドを生成することができる。１つの設計では、受信信号品質に基づいてＴＰＣコマンドを生成することができる。ｅＮＢは、ｅＮＢの各アンテナグループの受信信号品質を決定することができる。ｅＮＢは、各アンテナグループの受信信号品質を１つまたは複数の閾値と比較することができ、比較の結果に基づいて、そのアンテナグループのＴＰＣコマンドを生成することができる。別の設計では、受信電力に基づいてＴＰＣコマンドを生成することができる。ｅＮＢは、ｅＮＢの各アンテナグループの受信電力を決定することができる。ｅＮＢは、各アンテナグループの受信電力を１つまたは複数の閾値と比較することができ、比較の結果に基づいて、そのアンテナグループのＴＰＣコマンドを生成することができる。さらに別の設計では、ＩｏＴに基づいてＴＰＣコマンドを生成することができる。ｅＮＢは、ｅＮＢの各アンテナグループによる干渉の量を測定することができる。ｅＮＢは、各アンテナグループのＩｏＴを、そのアンテナグループの測定された干渉に基づいて計算することができる。ｅＮＢは、各アンテナグループのＩｏＴを１つまたは複数のＩｏＴ閾値と比較することができ、比較の結果に基づいて、そのアンテナグループのＴＰＣコマンドを生成することができる。ＴＰＣコマンドは、さらに他のメトリックに基づいて生成されうる。
【００２４】
第２のアップリンク電力制御の設計は、ＴＰＣコマンド用のより大きなオーバヘッドを犠牲にして、より良い性能を提供することができる。ＵＥにおけるＧ個のアンテナグループの送信電力を調整するために、複数のＴＰＣコマンドを使用して、ｅＮＢにおける受信電力または受信信号の品質をより良く制御することができる。また複数のＴＰＣコマンドは、さらにアップリンク上のレイヤ移動に伴う性能の損失を最小限にするように使用されうる。また複数のＴＰＣコマンドは、さらにｅＮＢにおいてＩｏＴをより良く制御できるようにすることができる。
【００２５】
Ｇ個のアンテナグループのＴＰＣコマンドは、第２のアップリンク電力制御設計のために様々な方法で生成され、送信されうる。１つの設計では、例えば、上述のメトリックのいずれかに基づいて、各アンテナグループに別々にＴＰＣコマンドを生成することができる。Ｇ個のすべてのアンテナグループのＴＰＣコマンドは、ＬＴＥのＤＣＩフォーマット３または３Ａを使用して、ＰＤＣＣＨでＵＥに送信することができる。ＤＣＩフォーマット３については、制御メッセージがＮ個のＴＰＣコマンドを含むことができ、各ＴＰＣコマンドが２ビットの電力調整を備える。ＤＣＩフォーマット３Ａについては、制御メッセージがＮ個のＴＰＣコマンドを含むことができ、各ＴＰＣコマンドが１ビットの電力調整を備える。ＤＣＩフォーマット３と３Ａの両方について、制御メッセージは、Ｎ個のＴＰＣ位置を含むことができ、各ＴＰＣ位置にＴＰＣコマンドを送信することができる。Ｎは、上位レイヤによって設定され、ＵＥに伝達されることが可能である。ＵＥはまた、ＵＥに割り当てられた特定のＴＰＣ位置を（例えば上位レイヤのシグナリングによって）知らされうる。ＵＥは、制御メッセージを受信することができ、制御メッセージの中の割り当てられたＴＰＣ位置からＴＰＣコマンドを取り出すことができる。
【００２６】
別の設計では、Ｇ個のアンテナグループのＴＰＣコマンドは、差分符号化で生成されることができる。各アンテナグループｉに対して電力調整ΔＰ（ｉ）を決定することができ、ここでｉは、アンテナグループのインデックスとすることができ、１からＧまで変動することができる。指定されたアンテナグループの電力調整は、基本ＴＰＣコマンドとして使用することができる。例えば、アンテナグループ１が指定されたアンテナグループであることが可能であり、基本ＴＰＣコマンドは、ＴＰＣ（ｉ）＝ΔＰ（ｉ）として設定することができる。残りの各アンテナグループに対して、そのアンテナグループの電力調整および指定されたアンテナグループの電力調整に基づいて、差分ＴＰＣコマンドΔＴＰＣ（ｉ）を生成することができる。例えば、アンテナグループｉの電力調整と指定されたアンテナグループの電力調整との差は、ΔＰ（ｉ）−ΔＰ（１）として計算することができ、量子化されて、アンテナグループｉの差分ＴＰＣコマンド、すなわちＴＣＰ（ｉ）＝Ｑｕａｎｔｉｚｅ｛ΔＰ（ｉ）−ΔＰ（１）｝を取得することができる。基本ＴＰＣコマンドは、より多くのビット、例えば２ビットで送信されることが可能である。各差分ＴＰＣコマンドは、より少ないビット、例えば１ビットで送信されることが可能である。この設計は、より少ないオーバヘッドで優れた電力制御性能を提供することができる。
【００２７】
さらに別の設計では、Ｇ個のアンテナグループのＴＰＣコマンドは、オーバヘッドを削減するためにより少ないビットで生成することができる。ＬＴＥのＤＣＩフォーマット０、１、１Ａ、１Ｂ、１Ｄ、２、２Ａ、および２Ｂは、ＵＥに対して１つの２ビットのＴＰＣコマンドの送信をサポートするが、ＤＣＩフォーマット３は、ＵＥに対して１つまたは複数の２ビットのＴＰＣコマンドの送信をサポートする。各アンテナグループに１ビットのＴＰＣコマンドを生成することができる。わずか２つのアンテナグループがある場合、この２つのアンテナグループの２つの１ビットのＴＰＣコマンドが、ＤＣＩフォーマット０、１、１Ａ、１Ｂ、１Ｄ、２、２Ａ、または２ＢでＴＰＣコマンドに２ビットを使用して送信されることが可能である。この場合、２つの１ビットのＴＰＣコマンドをＵＥに送信するために、さらなるオーバヘッドを招くことはない。３つ以上のアンテナグループがある場合、Ｇ個の１ビットのＴＰＣコマンドは、２つのアンテナグループの２つの１ビットのＴＰＣコマンドが各ＴＰＣ位置に送信されて、ＤＣＩフォーマット３でＧ／２個のＴＰＣ位置に送信されることが可能である。したがって、各ＴＰＣコマンドにより少ないビット（例えば１ビット）を使用することによって、オーバヘッドが削減されることが可能である。
【００２８】
さらに別の設計では、Ｇ個のアンテナグループのＴＰＣコマンドは、オーバヘッドを削減するために時分割多重（ＴＤＭ）を使用して送信されることが可能である。例えば、Ｇ個のアンテナグループのＧ個のＴＰＣコマンドは、ＴＰＣコマンドを繰り返すことによってＧ個の時間周期（time periods）で送信されることが可能である。アンテナグループ１のＴＰＣコマンドは、１つの時間周期で送信されることが可能であり、アンテナグループ２のＴＰＣコマンドは、次の時間周期で送信され得る。この設計は、より大きな待ち時間を犠牲にしてオーバヘッドを削減することができる。
【００２９】
Ｇ個のアンテナグループのＴＰＣコマンドは、他の方法で生成され、送信されることも可能である。上述の設計の組合せが使用されることも可能である。例えば、オーバヘッドならびに待ち時間を削減するために、差分符号化およびＴＤＭを共に使用することができる。１つのアンテナグループの基本ＴＰＣコマンドが、１つの時間周期に送信され、複数のアンテナグループの複数（例えば２つ）の差分ＴＰＣコマンドが、次の時間周期などで送信されることが可能である。
【００３０】
ＵＥは、様々な方法で、アンテナグループ（または、各ＴＰＣコマンドが適用される特定のアンテナグループ）へＴＰＤコマンドをマッピングすることを知らされることが可能である。１つの設計では、ＵＥは、Ｇ個のアンテナグループにＴＰＣコマンドが送信される方法を知らされることが可能である。例えば、ＴＰＣコマンドは、ＤＣＩフォーマット３または３Ａを使用して送信されることが可能であり、ＵＥは、各アンテナグループについてＵＥに割り当てられた特定のＴＰＣ位置を知らされることが可能である。複数の１ビットのＴＰＣコマンドが、所与のＴＰＣ位置に送信されることが可能であり、ＵＥは、どの１ビットのＴＰＣコマンドがそのＴＰＣ位置の各ビットにマップされるかを知らされることが可能である。複数のＴＰＣコマンドは、ＴＤＭを使用して送信されることも可能であり、ＵＥは、各アンテナグループのＴＰＣコマンドが送信される特定の時間周期を知らされることが可能である。いずれの場合にも、ＵＥは、ＴＰＣコマンドがｅＮＢによって送信される既知の方法に基づいて、各アンテナグループのＴＰＣコマンドを取得することができる。
【００３１】
別の設計では、Ｇ個のアンテナグループのＴＰＣコマンドは、ＵＥへ動的に送信することができる。例えば、ｅＮＢは、ＵＥに送信される任意の制御メッセージの中で、またはＵＥに割り当てられる任意のＴＰＣ位置の中で、いかなるアンテナグループのＴＰＣコマンドも送信することができる。１つの設計では、Ｇ個のアンテナグループは、様々なスクランブリングコードを割り当てられることが可能である。各アンテナグループのＴＰＣコマンドは、その後そのアンテナグループのスクランブリングコードを使用して送信されることが可能である。例えば、所与のアンテナグループのＴＰＣコマンドは、ＬＴＥにおけるＤＣＩフォーマット０、１、１Ａ、１Ｂ、１Ｄ、２、２Ａ、または２Ｂを使用して、制御メッセージの中で送信されることが可能である。１つの設計では、この制御メッセージの全部または一部が、このアンテナグループのスクランブリングコードでスクランブルをかけられることが可能である。別の設計では、制御メッセージに対して巡回冗長検査（ＣＲＣ）が生成されることが可能である。ＣＲＣは、スクランブリングコードでスクランブルをかけられ、メッセージに追加されることが可能である。両方の設計とも、ＵＥは、様々なアンテナグループに対して様々なスクランブリングコードを使用して受信した制御メッセージのデスクランブルすることができる（descramble）。ＵＥは、スクランブリングコードに基づいて制御メッセージ中のＴＰＣコマンドが適用される特定のアンテナグループを決定することができ、結果として正しくデスクランブルされる（例えば、ＣＲＣ検査に合格する）。
【００３２】
１つの設計では、Ｇ個のアンテナグループのＴＰＣコマンドは、既存のＤＣＩフォーマット０、１、１Ａ、１Ｂ、１Ｄ、２、２Ａ、２Ｂ、３、および／または３Ａを使用してメッセージの中で送信されることが可能である。別の設計では、ＴＰＣコマンドは、新しいＤＣＩフォーマットを使用してメッセージの中で送信されることが可能である。例えば、Ｇ個のＴＰＣコマンドおよび他の関連するパラメータを送信することができる新しいＤＣＩフォーマットを定義することができる。
【００３３】
図３は、複数のアンテナに対するアップリンク電力制御の設計を示す。マルチアンテナのＵＥ１２０ｘは、アップリンクの送信に使用することができる複数（Ｔ個）のアンテナ３３４ａから３３４ｔを配備することができる。単一のアンテナのＵＥ１２０ｙは、アップリンクの送信に使用することができる単一のアンテナ３３４ｙを配備することができる。
【００３４】
マルチアンテナのＵＥ１２０ｘは、ｅＮＢ１１０ｘからの１つまたは複数のＴＰＣコマンド、例えば、各アンテナグループに対して、またはＴ個のすべてのアンテナに対して１つのＴＰＣコマンドを受信することができる。（１つまたは複数の）ＴＰＣコマンドは、上述の設計のいずれかに基づいて生成され、送信されることが可能である。ＵＥ１２０ｘは、ｔ＝１，...，Ｔであるとき、アンテナｔに適用できるＴＰＣコマンドに基づいて各アンテナｔの利得ｇtを決定することができる。利得ｇtは、アンテナｔに使用される送信電力の量を決定することができる。第１のアップリンク制御設計については、Ｔ個すべてのアンテナの利得は、すべてのアンテナに適用できる単一のＴＰＣコマンドに基づいて決定することができる。第２のアップリンク電力制御設計については、各アンテナの利得は、そのアンテナが属するアンテナグループのＴＰＣコマンドに基づいて決定することができる。いずれの場合も、ＵＥ１２０ｘは、Ｔ個のアンテナ３３４ａから３３４ｔに対してそれぞれＴ個の利得ｇ1からｇTを取得することができる。
【００３５】
ＵＥ１２０ｘ内では、プロセッサ３１０ｘがデータおよび／または制御情報を処理して変調シンボルを生成することができる。プロセッサ３１０ｘは、さらに変調シンボルを処理（例えば、プリコード、または多重分離）して、Ｔ個のアンテナ用のシンボルを取得することができる。乗算器３２０ａから３２０ｔが、それぞれアンテナ３３４ａから３３４ｔ用のシンボルを受信することができる。各乗算器３２０は、そのシンボルに、関連するアンテナの利得を掛けることができ、関連する変調器（ＭＯＤ）３３２に出力シンボルを提供することができる。Ｔ個の変調器３３２ａから３３２ｔは、その出力シンボルを処理し、Ｔ個のアップリンク信号を生成し、これらはＴ個のアンテナ３３４ａから３３４ｔによってそれぞれ送信されることが可能である。
【００３６】
単一のアンテナのＵＥ１２０ｙは、そのアンテナ３３４ｙのＴＰＣコマンドをｅＮＢ１１０ｘから受信することができ、このＴＰＣコマンドに基づいてアンテナの利得ｇを決定することができる。ＵＥ１２０ｙ内では、プロセッサ３１０ｙがデータおよび／または制御情報を処理して変調シンボルを生成することができる。乗算器３２０ｙが、変調シンボルに利得ｇを掛けることができ、変調器３３２ｙに出力シンボルを提供することができる。変調器３３２ｙが、出力シンボルを処理して、アップリンク信号を生成することができ、これがアンテナ３３４ｙによって送信されることが可能である。
【００３７】
ｅＮＢ１１０ｘでは、Ｒ個のアンテナ３５２ａから３５２ｒが、ＵＥ１２０ｘおよび１２０ｙからアップリンク信号を受信することができ、受信した信号をＲ個の復調器（ＤＥＭＯＤ）３５４ａから３５４ｒにそれぞれ提供することができる。各復調器３５４は、その受信信号を処理して、受信シンボルを取得することができる。プロセッサ３６０は、Ｒ個のすべての復調器３５４ａから３５４ｒから受信シンボルを取得することができる。プロセッサ３６０は、受信シンボルを処理して、各アンテナグループの、またはＵＥ１２０ｘにおけるＴ個のすべてのアンテナのメトリックを決定することができる。メトリックは、受信信号品質、受信電力、ＩｏＴなどに関連することができる。プロセッサ３６０は、各アンテナグループの、またはＵＥ１２０ｘにおけるＴ個のすべてのアンテナのＴＰＣコマンドを、そのアンテナグループの、またはＴ個のすべてのアンテナのメトリックに基づいて生成することができる。プロセッサ３６０は、受信したシンボルを処理して、ＵＥ１２０ｙのアンテナのメトリックを決定することもでき、このメトリックに基づいてＵＥ１２０ｙのＴＰＣコマンドを生成することができる。プロセッサ３６０は、ＵＥ１２０ｘおよび１２０ｙのＴＰＣコマンドを備える１つまたは複数の制御メッセージを生成することができ、（１つまたは複数の）この制御メッセージをＵＥに送信することができる。プロセッサ３６０は、さらに受信したシンボルを処理して、各ＵＥによって送信されたデータおよび／または制御情報を復号することができる。
【００３８】
図３に示すように、ｅＮＢ１１０ｘは、マルチアンテナのＵＥ１２０ｘと単一のアンテナのＵＥ１２０ｙの両方のアップリンク電力制御を行うことができる。ｅＮＢ１１０ｘは、マルチアンテナのＵＥ１２０ｘおよび単一のアンテナのＵＥ１２０ｙに対して異なる方法でＴＰＣコマンドを生成することができる。ｅＮＢ１１０ｘは、異なるアップリンク電力制御設計に基づいて、ＵＥ１２０ｘのＴ個のアンテナに１つまたは複数のＴＰＣコマンドを生成することもできる。
【００３９】
図４は、アップリンク電力制御を行うためのプロセス４００の設計を示す。プロセス４００は、（以下に示すように）ＵＥによって、またはその他のエンティティによって実行されることが可能である。ＵＥは、ＵＥの複数のアンテナに対して少なくとも１つのＴＰＣコマンドを受信することができる（ブロック４１２）。ＵＥは、この少なくとも１つのＴＰＣコマンドに基づいて、複数のアンテナのそれぞれに対して、送信電力を調整することができる（ブロック４１４）。ＵＥは、複数のアンテナのそれぞれに対して決定された送信電力で複数のアンテナからアップリンク送信信号を送ることができる（ブロック４１６）。１つの設計では、複数のアンテナは、ＵＥの物理的アンテナとすることができる。別の設計では、複数のアンテナは、ＵＥの物理的アンテナに基づいて形成された仮想アンテナとすることができる。各仮想アンテナは、一組のプリコーディング重み（precoding weight）を物理的アンテナに加えて形成することができる。
【００４０】
ブロック４１２の１つの設計では、ＵＥは、すべてのアンテナに対して単一のＴＰＣコマンドを受信することができる。ＵＥは、ブロック４１４において、この単一のＴＰＣコマンドに基づいて、複数のアンテナのそれぞれに対して、送信電力を調整することができる。複数のアンテナは、等しいまたは同様の送信電力を有することができる。
【００４１】
ブロック４１２の別の設計では、ＵＥは、複数のアンテナグループに対して複数のＴＰＣコマンド、すなわち各アンテナグループに対して１つのＴＰＣコマンド、を受信することができる。各アンテナグループは、複数のアンテナの異なるサブセットを備えることができる。ＵＥは、各アンテナグループの送信電力を、そのアンテナグループのＴＰＣコマンドに基づいて調整することができる。各アンテナグループのすべてのアンテナは、等しいまたは同様の送信電力を有することができる。１つの設計では、各アンテナグループが単一のアンテナを含むことができ、複数のアンテナは個々に調整された送信電力を有することができる。別の設計では、アンテナグループが、２つ以上のアンテナを含むことができる。
【００４２】
一般にＵＥは、１つまたは複数の制御メッセージの中の１つまたは複数のＴＰＣ位置に複数のＴＰＣコマンドを受信することができる。１つの設計では、ＵＥは、個々の制御メッセージの中に各ＴＰＣコマンドを受信することができる。別の設計では、ＵＥは、単一の制御メッセージの中の複数のＴＰＣ位置に複数のＴＰＣコマンド、すなわち各ＴＰＣ位置に１つのＴＰＣコマンド、を受信することができる。さらに別の設計では、ＵＥは、制御メッセージの中の少なくとも１つのＴＰＣ位置に複数のＴＰＣコマンドを受信することができる。各ＴＰＣコマンドは、単一ビットの電力調整を備えることができる。ＵＥは、各ＴＰＣ位置に、少なくとも２つのＴＰＣコマンドを受信することができる。１つの設計では、ＵＥは、時分割多重を使用して複数の時間周期で送信された複数のＴＰＣコマンドを受信することができる。ＵＥはまた、複数のＴＰＣコマンドを他の方法で受信することができる。
【００４３】
１つの設計では、複数のＴＰＣコマンドは、差分符号化なしで生成することができる。ＵＥは、各アンテナグループの送信電力を、そのアンテナグループのＴＰＣコマンドに基づいて調整することができる。別の設計では、複数のＴＰＣコマンドは、差分符号化を使用して生成することができ、指定されたアンテナグループの基本ＴＰＣコマンドと、少なくとも１つの残りのアンテナグループの少なくとも１つの差分ＴＰＣコマンドとを含むことができる。ＵＥは、基本ＴＰＣコマンドを使用して指定されたアンテナグループの送信電力を調整することができる。ＵＥは、残りの各アンテナグループの電力調整を、そのアンテナグループの差分ＴＰＣコマンドおよび基本ＴＰＣコマンドに基づいて決定することができる。ＵＥは、残りの各アンテナグループの送信電力を、そのアンテナグループの電力調整に基づいて調整することができる。
【００４４】
１つの設計では、ＴＰＣコマンドは、グループ固有のスクランブリングを使用して送信されることが可能である。ＵＥは、複数のアンテナグループに割り当てられた複数のスクランブリングコードに基づいて、受信した各ＴＰＣコマンドに対してデスクランブリング（descrambling）を行うことができる。ＵＥは、デスクランブリングの結果に基づいて、各ＴＰＣコマンドが適用されるアンテナグループを決定することができる。１つの設計では、ＵＥは、ＴＰＣコマンドを伝える制御メッセージの全部または一部にデスクランブリングを行うことができる。別の設計では、ＵＥは、制御メッセージに付加されるＣＲＣにデスクランブリングを行うことができる。ＵＥは、他の方法でデスクランブリングを行うこともできる。
【００４５】
図５は、アップリンク電力制御を行うための装置５００の設計を示す。装置５００は、ＵＥの複数のアンテナに対する少なくとも１つのＴＰＣコマンドを受信するためのモジュール５１２と、少なくとも１つのＴＰＣコマンドに基づいて、ＵＥの複数のアンテナのそれぞれに対する送信電力を調整するためのモジュール５１４と、複数のアンテナのそれぞれに対して決定された送信電力で複数のアンテナからアップリンク送信信号を送るためのモジュール５１６とを含む。
【００４６】
図６は、アップリンク電力制御をサポートするためのプロセス６００の設計を示す。プロセス６００は、（以下に説明するように）基地局／ｅＮＢによって、またはその他の何らかのエンティティによって、行うことができる。基地局は、ＵＥの複数のアンテナに対して少なくとも１つのＴＰＣコマンドを生成することができる（ブロック６１２）。基地局は、ＵＥの複数のアンテナのそれぞれの送信電力を調整するために使用する、少なくとも１つのＴＰＣコマンドをＵＥに送信することができる（ブロック６１４）。基地局は、その後、複数のアンテナのそれぞれに対して決定された送信電力で複数のアンテナからＵＥによって送られたアップリンク送信信号を受信することができる（ブロック６１６）。
【００４７】
ブロック６１２の１つの設計では、基地局は、ＵＥのすべてのアンテナに対して単一のＴＰＣコマンドを生成することができる。ブロック６１２の別の設計では、基地局は、ＵＥにおいて複数のアンテナグループに対して複数のＴＰＣコマンド、すなわち各アンテナグループに対して１つのＴＰＣコマンド、を生成することができる。各アンテナグループは、複数のアンテナの異なるサブセットを含むことができる。１つの設計では、各アンテナグループは、単一のアンテナを含むことができる。別の設計では、アンテナグループが、２個以上のアンテナを含むことができる。
【００４８】
基地局は、様々な方法でＴＰＣコマンドを生成することができる。１つの設計では、基地局は、各アンテナグループの受信信号品質を決定することができ、各アンテナグループのＴＰＣコマンドを、そのアンテナグループの受信信号品質に基づいて生成することができる。別の設計では、基地局は、各アンテナグループの受信電力を決定することができ、各アンテナグループのＴＰＣコマンドを、そのアンテナグループの受信電力に基づいて生成することができる。さらに別の設計では、基地局は、各アンテナグループによる干渉を決定することができ、そのアンテナグループによる干渉に基づいて、各アンテナグループのＴＰＣコマンドを生成することができる。例えば、基地局は、干渉に基づいて各アンテナグループのＩｏＴを決定することができ、そのＩｏＴに基づいてＴＰＣコマンドを生成することができる。一般に、基地局は、いかなる好適なメトリックに基づいても、各アンテナグループのＴＰＣコマンドを生成することができる。
【００４９】
一般に、基地局は、１つまたは複数の制御メッセージの１つまたは複数のＴＰＣ位置で、複数のＴＰＣコマンドを送信することができる。１つの設計では、基地局は、別個の制御メッセージの中で各ＴＰＣコマンドを送信することができる。別の設計では、基地局は、単一の制御メッセージの中の複数のＴＰＣ位置に複数のＴＰＣコマンド、すなわち各ＴＰＣ位置に１つのＴＰＣコマンド、を送信することができる。さらに別の設計では、基地局は、各ＴＰＣコマンドが単一ビットの電力調整を備えた複数のＴＰＣコマンドを生成することができる。基地局は、各ＴＰＣ位置に少なくとも２つのＴＰＣコマンドが送信されて、制御メッセージの中の少なくとも１つのＴＰＣ位置に複数のＴＰＣコマンドを送信することができる。１つの設計では、基地局は、時分割多重を使用して複数の時間周期で複数のＴＰＣコマンドを送信することができる。
【００５０】
１つの設計では、基地局は、差分符号化なしで複数のＴＰＣコマンドを生成することができる。各アンテナグループの送信電力は、そのアンテナグループのＴＰＣコマンドに基づいて調整することができる。別の設計では、基地局は、差分符号化を使用して複数のＴＰＣコマンドを生成することができる。基地局は、（ｉ）指定されたアンテナグループの基本ＴＰＣコマンドと、（ｉｉ）少なくとも１つの残りのアンテナグループの少なくとも１つの差分ＴＰＣコマンドとを生成することができる。
【００５１】
１つの設計では、ＴＰＣコマンドは、グループ固有のスクランブリングを使用して送信することができる。基地局は、複数のアンテナグループに割り当てられる複数のスクランブリングコードを決定することができる。基地局は、ＴＰＣコマンドが適用されるアンテナグループのスクランブリングコードに基づいて各ＴＰＣコマンドにスクランブリングを行うことができる。
【００５２】
図７は、アップリンク電力制御をサポートするための装置７００の設計を示す。装置７００は、ＵＥの複数のアンテナに対して少なくとも１つのＴＰＣコマンドを生成するためのモジュール７１２と、ＵＥの複数のアンテナのそれぞれに対して送信電力を調整するために使用する少なくとも１つのＴＰＣコマンドをＵＥに送信するためのモジュール７１４と、複数のアンテナのそれぞれに対して決定された送信電力で複数のアンテナからＵＥによって送られたアップリンク送信信号を受信するためのモジュール７１６とを含む。
【００５３】
図５および７のモジュールは、プロセッサ、電子デバイス、ハードウェアデバイス、電子部品、論理回路、メモリ、ソフトウェアコード、ファームウェアコード、その他、またはそのいかなる組合せも備えることができる。
【００５４】
図８は、図１のｅＮＢの１つおよびＵＥの１つとすることができる、基地局／ｅＮＢ１１０およびＵＥ１２０の設計のブロック図を示す。ＵＥ１２０は、複数（Ｔ）のアンテナ８３４ａから８３４ｔを配備することができ、基地局１１０は、複数（Ｒ）のアンテナ８５２ａから８５２ｒを配備することができる。
【００５５】
ＵＥ１２０では、送信プロセッサ８２０が、データソース８１２からデータを、コントローラ／プロセッサ８４０から制御情報を受信することができる。送信プロセッサ８２０は、データおよび制御情報を処理（例えば、符号化、インタリーブ、およびシンボルマッピング）し、それぞれデータシンボルおよび制御シンボルを取得することができる。送信プロセッサ８２０は、１つまたは複数の基準信号の基準シンボルを生成することもできる。送信（ＴＸ）多入力多出力（ＭＩＭＯ）プロセッサ８３０が、適切な場合はデータシンボル、制御シンボル、および／または基準シンボルに空間処理（例えば、プリコーディング）を実行することができ、Ｔ個の変調器８３２ａから８３２ｔへのＴ個の出力シンボルのストリームを提供することができる。各変調器８３２は、それぞれの出力シンボルストリーム（例えばＳＣ−ＦＤＭＡ、ＯＦＤＭ用など）を処理して出力サンプルストリームを取得することができる。各変調器８３２は、出力サンプルストリームをさらに処理して（例えば、アナログに変換する、増幅する、フィルタリングする、アップコンバートする）アップリンク信号を取得することができる。変調器８３２ａから８３２ｔからのＴ個のアップリンク信号は、それぞれＴ個のアンテナ８３４ａから８３４ｔを介して送信されることが可能である。
【００５６】
基地局１１０では、アンテナ８５２ａから８５２ｒが、ＵＥ１２０およびその他のＵＥからアップリンク信号を受信することができ、受信した信号を復調器（ＤＥＭＯＤ）８５４ａから８５４ｒにそれぞれ提供することができる。各復調器８５４は、それぞれの受信信号を調整（例えば、フィルタリング、増幅、ダウンコンバート、デジタル化）して、受信サンプルを取得することができる。さらに各復調器８５４が、受信サンプルを処理して、受信シンボルを取得することができる。ＭＩＭＯ検出器８５６は、Ｒ個の復調器８５４ａから８５４ｒすべてから受信シンボルを取得し、（適切な場合は）受信シンボルにＭＩＭＯ検出／復調を行い、検出シンボルを提供することができる。受信プロセッサ８５８が検出シンボルを処理（例えば、シンボルデマップ、デインタリーブ、復号）し、復号データをデータシンク８６０に提供し、復号制御情報をコントローラ／プロセッサ８８０に提供することができる。
【００５７】
ダウンリンクでは、基地局１１０において、データソース８６２からのデータおよびコントローラ／プロセッサ８８０からの制御情報（例えば、ＴＰＣコマンドを伝える制御メッセージ）が、送信プロセッサ８６４によって処理され、適切な場合は、ＴＸ  ＭＩＭＯプロセッサ８６６によってプリコードされ、変調器８５４ａから８５４ｒによって調整され、ＵＥ１２０へ送信されることが可能である。ＵＥ１２０では、基地局１１０からのダウンリンク信号は、アンテナ８３４によって受信され、変調器８３２によって調整され、ＭＩＭＯ検出器８３６によって処理され、受信プロセッサ８３８によってさらに処理されて、ＵＥ１２０に送信されるデータおよび制御情報を取得することが可能である。プロセッサ８３８は、復号データをデータシンク８３９に、復号制御情報をコントローラ／プロセッサ８４０に提供することができる。
【００５８】
コントローラ／プロセッサ８４０および８８０は、それぞれＵＥ１２０および基地局１１０において操作を指示することができる。プロセッサ８４０および／またはＵＥ１２０における他のプロセッサおよびモジュールは、図４のプロセス４００および／または本明細書に記載する技術のための他のプロセスを、行うまたは指示することができる。プロセッサ８２０および／または８３０が、スケーリングを行って、ＵＥ１２０の各アンテナに所望の送信電力を取得することができる。プロセッサ８８０および／または基地局１１０における他のプロセッサおよびモジュールは、図６のプロセス６００および／または本明細書に記載する技術のための他のプロセスを、行うまたは指示することができる。メモリ８４２および８８２は、それぞれＵＥ１２０および基地局１１０のデータおよびプログラムコードを格納することができる。スケジューラ８８４は、ダウンリンクおよび／またはアップリンク送信信号にＵＥをスケジュールすることができ、スケジュールされたＵＥにリソースを割り当てることができる。
【００５９】
情報および信号は、多種多様な技術および技法を使用して表すことができることを、当業者は理解するであろう。例えば、上記の説明全体にわたって参照することができるデータ、命令、コマンド、情報、信号、ビット、シンボル、およびチップは、電圧、電流、電磁波、磁気フィールドもしくは粒子、光フィールドもしくは粒子、またはその組合せによって表すことができる。
【００６０】
さらに、本明細書の開示と関連して説明した様々な例示的論理ブロック、モジュール、回路、およびアルゴリズムステップは、電子ハードウェア、コンピュータソフトウェア、または両方の組合せとして実装されることが可能であることを、当業者は理解するであろう。ハードウェアとソフトウェアのこのような互換性をわかりやすく説明するために、様々な例示的構成要素、ブロック、モジュール、回路、およびステップは、概してその機能性に関して上記に記載した。このような機能性がハードウェアとして実装されるか、またはソフトウェアとして実装されるかは、特定の応用およびシステム全体に課される設計の制約によって決まる。当業者は、それぞれ特定のアプリケーションについて記載した機能を様々な方法で実施することができるが、このような実施の決定は、本開示の範囲からの逸脱を引き起こすと解釈されるべきではない。
【００６１】
本明細書の開示と関連して説明する様々な例示的論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブルロジックデバイス、ディスクリートのゲートもしくはトランジスタロジック、ディスクリートのハードウェア部品、またはこれらの、本明細書に記載した機能を行うように設計されたいかなる組合せでも、実装または実行されることが可能である。汎用プロセッサは、マイクロプロセッサとすることができるが、代替的にプロセッサは、いかなる従来のプロセッサ、コントローラ、マイクロプロセッサ、または状態機械とすることもできる。プロセッサは、例えばＤＳＰとマイクロプロセッサの組合せ、複数のマイクロプロセッサ、ＤＳＰコアと連結した１つまたは複数のマイクロプロセッサ、またはその他のこのような構成など、コンピューティングデバイスの組合せとして実装することもできる。
【００６２】
本明細書の開示と関連して記載した方法またはアルゴリズムのステップは、直接ハードウェアで、プロセッサで実行されるソフトウェアモジュールで、またはこの２つの組合せで、具体化されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られているその他の形態の記憶媒体に、常駐することが可能である。例示的な記憶媒体は、プロセッサがこの記憶媒体から情報を読み取ること、およびこの記憶媒体に情報を書き込むことができるように、プロセッサに結合される。代替的には記憶媒体は、プロセッサと一体化されることが可能である。プロセッサおよび記憶媒体は、ＡＳＩＣに備わっていることが可能である。ＡＳＩＣは、ユーザ端末に備わっていることが可能である。代替的にはプロセッサおよび記憶媒体は、ユーザ端末にディスクリート部品として備わっていることが可能である。
【００６３】
１つまたは複数の例示的設計では、記載した機能は、ハードウェア、ソフトウェア、ファームウェア、またはこれらのいかなる組合せにも実装することができる。ソフトウェアに実装される場合、機能は、コンピュータ可読媒体の１つもしくは複数の命令またはコードとして格納される、または送信されることが可能である。コンピュータ可読媒体は、コンピュータ記憶媒体と通信媒体の両方を含み、一方の場所からもう一方の場所へのコンピュータプログラムの転送を容易にするいかなる媒体も含む。記憶媒体は、汎用のまたは特殊用途用のコンピュータでアクセスすることができるいかなる入手可能な媒体とすることもできる。限定ではなく一例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶デバイスまたは他の磁気記憶デバイス、あるいは所望のプログラムコード手段を命令もしくはデータ構造の形態で保持もしくは格納するために使用することができ、汎用もしくは特殊用途のコンピュータ、または汎用もしくは特殊用途のプロセッサでアクセスすることができる他のいかなる媒体も備えることができる。また、いかなる接続も、厳密にはコンピュータ可読媒体と呼ばれる。例えば、ソフトウェアが、同軸ケーブル、光ファイバケーブル、ツイストペア、デジタル加入者線（ＤＳＬ）、あるいは赤外線、ラジオ波、およびマイクロ波などのワイヤレス技術を使用して、ウェブサイト、サーバ、または他のリモートソースから送信される場合、この同軸ケーブル、光ファイバケーブル、ツイストペア、ＤＳＬ、あるいは赤外線、ラジオ波、およびマイクロ波などのワイヤレス技術は、媒体の定義に含まれる。本明細書で使用するディスク（ｄｉｓｋおよびｄｉｓｃ）は、コンパクトディスク（ｄｉｓｃ、ＣＤ）、レーザーディスク（登録商標）（ｄｉｓｃ）、光ディスク（ｄｉｓｃ）、デジタルバーサタイルディスク（ｄｉｓｃ、ＤＶＤ）、フロッピー（登録商標）ディスク（ｄｉｓｋ）、およびブルーレイディスク（ｄｉｓｃ）を含み、ディスク（ｄｉｓｋ）は通常データを磁気的に再生し、ディスク（ｄｉｓｃ）はレーザーを使用してデータを光学的に再生する。上記のものの組合せもまた、コンピュータ可読媒体の範囲内に含まれるべきである。
【００６４】
本開示についての前述の説明は、当業者が本開示を作成または利用することができるように提供する。本開示への様々な変更形態が当業者には容易に理解されることになり、本明細書で規定した包括的な原理は、本開示の趣旨および範囲から逸脱することなく他の変形形態に適用することができる。したがって本開示は、本明細書に記載した例および設計に限定されることを意図せず、本明細書に開示した原理および新しい特徴と一致する最大の範囲を与えられなければならない。
以下に、本願出願の当初の特許請求の範囲に記載された発明を付記する。
書類名］特許請求の範囲
［Ｃ１］
ワイヤレス通信のための方法であって、
ユーザ機器（ＵＥ）の複数のアンテナに対して少なくとも１つの送信電力制御（ＴＰＣ）コマンドを受信することと、
前記少なくとも１つのＴＰＣコマンドに基づいて、前記ＵＥの前記複数のアンテナのそれぞれに対して送信電力を調整することと
を備える、方法。
［Ｃ２］
少なくとも１つのＴＰＣコマンドを前記受信することは、前記複数のアンテナに対して単一のＴＰＣコマンドを受信することを備え、前記送信電力を前記調整することは、前記単一のＴＰＣコマンドに基づいて前記複数のアンテナのそれぞれに対して前記送信電力を調整することを備え、前記複数のアンテナは、等しい送信電力を有する、
［Ｃ１］に記載の方法。
［Ｃ３］
前記少なくとも１つのＴＰＣコマンドを受信することは、ＵＥにおいて複数のアンテナグループに対して複数のＴＰＣコマンド、すなわち各アンテナグループに対して１つのＴＰＣコマンド、を受信することを備え、各アンテナグループは、前記複数のアンテナの異なるサブセットを備える、
［Ｃ１］に記載の方法。
［Ｃ４］
前記送信電力を前記調整することは、前記アンテナグループに対する前記ＴＰＣコマンドに基づいて各アンテナグループに対して前記送信電力を調整することを備え、各アンテナグループのすべてのアンテナは、等しい送信電力を有する、
［Ｃ３］に記載の方法。
［Ｃ５］
前記複数のアンテナグループのそれぞれは、前記複数のアンテナの中の単一のアンテナを含み、前記複数のアンテナは、送信電力を個々に調整される、
［Ｃ３］に記載の方法。
［Ｃ６］
前記複数のグループの中の少なくとも１つのアンテナグループは、複数のアンテナを含む、
［Ｃ３］に記載の方法。
［Ｃ７］
前記複数のＴＰＣコマンドは、差分符号化を使用して生成され、前記複数のアンテナグループにおいて、１つのアンテナグループに対する基本ＴＰＣコマンドと、少なくとも１つの残りのアンテナグループに対する少なくとも１つの差分ＴＰＣコマンドとを備える、
［Ｃ３］に記載の方法。
［Ｃ８］
前記複数のＴＰＣコマンドを前記受信することは、制御メッセージの中の少なくとも１つのＴＰＣ位置で前記複数のＴＰＣコマンドを受信することを備え、各ＴＰＣコマンドは、単一ビットの電力調整を備え、少なくとも２つのＴＰＣコマンドは、各ＴＰＣ位置で受信される、
［Ｃ３］に記載の方法。
［Ｃ９］
前記複数のＴＰＣコマンドを前記受信することは、時分割多重を使用して複数の時間周期で送信された前記複数のＴＰＣコマンドを受信することを備える、
［Ｃ３］に記載の方法。
［Ｃ１０］
前記受信したＴＰＣコマンドが適用されるアンテナグループを決定するために、前記複数のアンテナグループに割り当てられた複数のスクランブリングコードに基づいて、受信した各ＴＰＣコマンドに対してデスクランブリングを行うこと
をさらに備える、
［Ｃ３］に記載の方法。
［Ｃ１１］
前記複数のアンテナのそれぞれに対して決定された前記送信電力で前記複数のアンテナからアップリンク送信信号を送ることをさらに備える、
［Ｃ１］に記載の方法。
［Ｃ１２］
ユーザ機器（ＵＥ）の複数のアンテナに対して少なくとも１つの送信電力制御（ＴＰＣ）コマンドを受信するための手段と、
前記少なくとも１つのＴＰＣコマンドに基づいて、前記ＵＥの前記複数のアンテナのそれぞれに対して送信電力を調整するための手段と
を備える、ワイヤレス通信のための装置。
［Ｃ１３］
少なくとも１つのＴＰＣコマンドを受信するための前記手段は、前記複数のアンテナに対して単一のＴＰＣコマンドを受信するための手段を備え、前記送信電力を前記調整するための手段は、前記単一のＴＰＣコマンドに基づいて前記複数のアンテナのそれぞれに対して前記送信電力を調整するための手段を備え、前記複数のアンテナは、等しい送信電力を有する、
［Ｃ１２］に記載の装置。
［Ｃ１４］
少なくとも１つのＴＰＣコマンドを受信するための前記手段は、前記ＵＥの複数のアンテナグループに対して複数のＴＰＣコマンド、すなわち各アンテナグループに対して１つのＴＰＣコマンド、を受信するための手段を備え、各アンテナグループは、前記複数のアンテナの異なるサブセットを備える、
［Ｃ１２］に記載の装置。
［Ｃ１５］
前記複数のＴＰＣコマンドは、差分符号化を使用して生成され、前記複数のアンテナグループにおいて、１つのアンテナグループに対する基本ＴＰＣコマンドと、少なくとも１つの残りのアンテナグループに対する少なくとも１つの差分ＴＰＣコマンドとを備える、
［Ｃ１４］に記載の装置。
［Ｃ１６］
前記複数のＴＰＣコマンドを受信するための前記手段は、制御メッセージの中の少なくとも１つのＴＰＣ位置に前記複数のＴＰＣコマンドを受信するための手段を備え、各ＴＰＣコマンドは、単一ビットの電力調整を備え、少なくとも２つのＴＰＣコマンドは、各ＴＰＣ位置で受信される、
［Ｃ１４］に記載の装置。
［Ｃ１７］
前記受信したＴＰＣコマンドが適用されるアンテナグループを決定するために、前記複数のアンテナグループに割り当てられた複数のスクランブリングコードに基づいて、受信した各ＴＰＣコマンドに対してデスクランブリングを行うための手段をさらに備える、
［Ｃ１４］に記載の装置。
［Ｃ１８］
複数のアンテナと、
ユーザ機器（ＵＥ）の前記複数のアンテナに対して少なくとも１つの送信電力制御（ＴＰＣ）コマンドを受信するように構成された受信モジュールと、
前記少なくとも１つのＴＰＣコマンドに基づいて、前記ＵＥの前記複数のアンテナのそれぞれに対して送信電力を調整するように構成された送信モジュールと
を備える、ワイヤレス通信のための装置。
［Ｃ１９］
前記受信モジュールは、前記複数のアンテナに対して単一のＴＰＣコマンドを受信するように構成され、前記送信モジュールは、前記単一のＴＰＣコマンドに基づいて前記複数のアンテナのそれぞれに対して前記送信電力を調整するように構成され、前記複数のアンテナは、等しい送信電力を有する、
［Ｃ１８］に記載の装置。
［Ｃ２０］
前記受信モジュールは、前記ＵＥの複数のアンテナグループに対して複数のＴＰＣコマンド、すなわち各アンテナグループに対して１つのＴＰＣコマンド、を受信するように構成され、各アンテナグループは、前記複数のアンテナの異なるサブセットを備える、
［Ｃ１８］に記載の装置。
［Ｃ２１］
前記複数のＴＰＣコマンドは、差分符号化を使用して生成され、前記複数のアンテナグループにおいて、１つのアンテナグループに対する基本ＴＰＣコマンドと、少なくとも１つの残りのアンテナグループに対する少なくとも１つの差分ＴＰＣコマンドとを備える、
［Ｃ２０］に記載の装置。
［Ｃ２２］
前記受信モジュールは、制御メッセージの中の少なくとも１つのＴＰＣ位置で前記複数のＴＰＣコマンドを受信し、各ＴＰＣ位置から、各ＴＰＣコマンドは、単一ビットの電力調整を備える少なくとも２つのＴＰＣコマンドを取得するように構成される、
［Ｃ２０］に記載の装置。
［Ｃ２３］
前記受信モジュールは、前記受信したＴＰＣコマンドが適用されるアンテナグループを決定するために、前記複数のアンテナグループに割り当てられた複数のスクランブリングコードに基づいて、受信した各ＴＰＣコマンドに対してデスクランブリングを行うように構成されたデスクランブラを備える、
［Ｃ２０］に記載の装置。
［Ｃ２４］
少なくとも１つのコンピュータに、ユーザ機器（ＵＥ）の複数のアンテナに対して少なくとも１つの送信電力制御（ＴＰＣ）コマンドを受信させるためのコードと、
前記少なくとも１つのコンピュータに、前記少なくとも１つのＴＰＣコマンドに基づいて、前記ＵＥの前記複数のアンテナのそれぞれに対して送信電力を調整させるためのコードと
を備える、非一時的なコンピュータ可読媒体
を備える、コンピュータプログラム製品。
［Ｃ２５］
ユーザ機器（ＵＥ）の複数のアンテナに対して少なくとも１つの送信電力制御（ＴＰＣ）コマンドを生成することと、
前記ＵＥの前記複数のアンテナのそれぞれに対して送信電力を調整するために使用する、前記少なくとも１つのＴＰＣコマンドを前記ＵＥに送信することと
を備える、ワイヤレス通信のための方法。
［Ｃ２６］
前記少なくとも１つのＴＰＣコマンドを生成することは、前記ＵＥの前記複数のアンテナのすべてに対して単一のＴＰＣコマンドを生成することを備える、
［Ｃ２５］に記載の方法。
［Ｃ２７］
前記少なくとも１つのＴＰＣコマンドを生成することは、前記ＵＥの複数のアンテナグループに対して複数のＴＰＣコマンド、すなわち各アンテナグループに対して１つのＴＰＣコマンド、を生成することを備え、各アンテナグループが前記複数のアンテナの異なるサブセットを備える、
［Ｃ２５］に記載の方法。
［Ｃ２８］
前記複数のアンテナグループのそれぞれは、前記ＵＥの前記複数のアンテナの中に単一のアンテナを含む、
［Ｃ２７］に記載の方法。
［Ｃ２９］
前記複数のＴＰＣコマンドを前記生成することは、
前記複数のアンテナグループのそれぞれに対して受信信号品質を決定することと、
前記アンテナグループの前記受信信号品質に基づいて各アンテナグループに対してＴＰＣコマンドを生成することと
を備える、［Ｃ２７］に記載の方法。
［Ｃ３０］
前記複数のＴＰＣコマンドを前記生成することは、
前記複数のアンテナグループのそれぞれに対して受信電力を決定することと、
前記アンテナグループの前記受信電力に基づいて各アンテナグループに対してＴＰＣコマンドを生成することと
を備える、［Ｃ２７］に記載の方法。
［Ｃ３１］
前記複数のＴＰＣコマンドを前記生成することは、
前記複数のアンテナグループのそれぞれによる干渉を決定することと、
前記アンテナグループによる前記干渉に基づいて各アンテナグループに対してＴＰＣコマンドを生成することと
を備える、［Ｃ２７］に記載の方法。
［Ｃ３２］
前記複数のＴＰＣコマンドを前記生成することは、
前記複数のアンテナグループの中の１つのアンテナグループに対して基本ＴＰＣコマンドを生成することと、
前記複数のアンテナグループの中の少なくとも１つの残りのアンテナグループに対して少なくとも１つの差分ＴＰＣコマンドを生成することと
を備える、［Ｃ２７］に記載の方法。
［Ｃ３３］
前記複数のＴＰＣコマンドを前記生成することは、単一ビットの電力調整を備える各ＴＰＣコマンドを生成することを備え、
前記少なくとも１つのＴＰＣコマンドを前記送信することは、制御メッセージの中の少なくとも１つのＴＰＣ位置で前記複数のＴＰＣコマンドを送信し、少なくとも２つのＴＰＣコマンドが各ＴＰＣ位置で送信されることを備える、
［Ｃ２７］に記載の方法。
［Ｃ３４］
前記少なくとも１つのＴＰＣコマンドを前記送信することは、時分割多重を使用して複数の時間周期の中で前記複数のＴＰＣコマンドを送信することを備える、
［Ｃ２７］に記載の方法。
［Ｃ３５］
前記複数のＴＰＣコマンドを前記生成することは、
前記複数のアンテナグループに割り当てられた複数のスクランブリングコードを決定することと、
前記ＴＰＣコマンドが適用されるアンテナグループに対してスクランブリングコードに基づいて各ＴＰＣコマンドのスクランブリングを行うことと
を備える、［Ｃ２７］に記載の方法。
［Ｃ３６］
前記複数のアンテナのそれぞれに対して決定された前記送信電力で前記複数のアンテナから前記ＵＥによって送られたアップリンク送信信号を受信することをさらに備える、
［Ｃ２５］に記載の方法。
［Ｃ３７］
ワイヤレス通信のための装置であって、
ユーザ機器（ＵＥ）の複数のアンテナに対して少なくとも１つの送信電力制御（ＴＰＣ）コマンドを生成するための手段と、
前記ＵＥの前記複数のアンテナのそれぞれに対して送信電力を調整するために使用する、前記少なくとも１つのＴＰＣコマンドを前記ＵＥに送信するための手段と
を備える、装置。
［Ｃ３８］
前記少なくとも１つのＴＰＣコマンドを生成するための手段は、前記ＵＥの前記複数のアンテナのすべてに対して単一のＴＰＣコマンドを生成するための手段を備える、
［Ｃ３７］に記載の装置。
［Ｃ３９］
前記少なくとも１つのＴＰＣコマンドを生成するための手段は、前記ＵＥの複数のアンテナグループに対して複数のＴＰＣコマンド、すなわち各アンテナグループに対して１つのＴＰＣコマンド、を生成するための手段を備え、各アンテナグループが前記複数のアンテナの異なるサブセットを備える、
［Ｃ３７］に記載の装置。
［Ｃ４０］
前記複数のＴＰＣコマンドを生成するための前記手段は、
前記複数のアンテナグループの中の１つのアンテナグループに対して基本ＴＰＣコマンドを生成するための手段と、
前記複数のアンテナグループの中の少なくとも１つの残りのアンテナグループに対して少なくとも１つの差分ＴＰＣコマンドを生成するための手段と
を備える、［Ｃ３９］に記載の装置。
［Ｃ４１］
前記複数のＴＰＣコマンドを生成するための前記手段は、単一ビットの電力調整を備える各ＴＰＣコマンドを生成するための手段を備え、前記少なくとも１つのＴＰＣコマンドを送信するための前記手段は、制御メッセージの中の少なくとも１つのＴＰＣ位置で前記複数のＴＰＣコマンドを送信するための手段を備え、少なくとも２つのＴＰＣコマンドが各ＴＰＣ位置で送信される、［Ｃ３９］に記載の装置。
［Ｃ４２］
前記複数のＴＰＣコマンドを生成するための前記手段は、
前記複数のアンテナグループに割り当てられた複数のスクランブリングコードを決定するための手段と、
前記ＴＰＣコマンドが適用されるアンテナグループに対してスクランブリングコードに基づいて各ＴＰＣコマンドのスクランブリングを行うための手段と
を備える、［Ｃ３９］に記載の装置。
【図１】
0005485394.tif 000002
【図２】
0005485394.tif 000003
【図３】
0005485394.tif 000004
【図４】
0005485394.tif 000005
【図５】
0005485394.tif 000006
【図６】
0005485394.tif 000007
【図７】
0005485394.tif 000008
【図８】
0005485394.tif 000009